(57)【特許請求の範囲】
【請求項１】
液体を霧状にしてミストを発生させるミスト発生手段と、
前記ミスト発生手段により発生されるミストを噴出するミストノズルと、
ミストが噴出される場所に対して光を照射する赤色ＬＥＤから構成される光照射手段と、
前記ミスト発生手段によるミストの発生を制御すると共に前記光照射手段の発光を制御する制御手段とを備え、
前記制御手段は、前記ミスト発生手段にミストの発生を開始させてから所定の時間が経過した後に前記光照射手段を発光させる一方、前記ミスト発生手段にミストの発生を終了させてから所定の時間が経過するまで前記光照射手段の発光を継続させることを特徴とするミスト発生装置。
【請求項２】
前記制御手段は、前記光照射手段の発光を停止させる場合、所定時間をかけて徐々に照度を低下させて発光を停止させることを特徴とする請求項１に記載のミスト発生装置。
【請求項３】
前記光照射手段は、前記ミストノズルに隣接されており、
前記制御手段は、前記ミスト発生手段を制御して間欠して繰り返しミストを発生させるものであり、ミストの発生を開始させる毎に前記光照射手段を発光させる一方、ミストの発生を終了させる毎に前記光照射手段の発光を停止させることを特徴とする請求項１又は請求項２に記載のミスト発生装置。
【請求項４】
前記ミスト発生手段は、液体を霧状にして予め決められた温度のミストを発生させる第１ミスト発生手段と、第１ミスト発生手段によりも低温のミストを発生させる第２ミスト発生手段から構成されており、
前記制御手段は、第１ミスト発生手段と第２ミスト発生手段を交互に作動させる制御を行い、前記第１ミスト発生手段を作動させているときのみに前記光照射手段を発光させる
ことを特徴とする請求項１又は請求項２に記載のミスト発生装置。
【請求項５】
当該ミスト発生装置は、ミストが噴出される場所に付着した水分を除去するための風を送る水分除去手段を有し、前記光照射手段は、前記水分除去手段からの風を利用して放熱が行われることを特徴とする請求項１〜請求項４のうちいずれか一項に記載のミスト発生装置。
【発明の詳細な説明】
【技術分野】
【０００１】
本発明は、使用者の肌にミストによる刺激を与えるミスト発生装置に関する。
【背景技術】
【０００２】
従来から、水などの液体をミスト化して使用者に向けて噴霧させ、使用者の肌にハリや潤いを与えるなどの美容効果を目的としたミスト発生装置（美容器）が広く用いられている。このようなミスト発生装置として、液体を加熱して発生させたミストを噴出口（ミストノズル）から使用者の肌に向けて噴射するとともに、光を照射して細胞を活性化させ美肌効果を付与する美顔器が提案されている（例えば、特許文献１）。
【特許文献１】特開２００７−３３０６９０号公報
【発明の開示】
【発明が解決しようとする課題】
【０００３】
しかしながら、特許文献１のミスト発生装置では、ミストの噴出期間と、光の照射期間が同じである。このため、ミストの噴出及び光の照射が終了すると、ミストを浴びた肌は、気化熱により一時的にその表面温度が下がり、肌に悪影響を与える虞がある。また、光を照射することによる美肌効果の効率を良くするためには、照射対象となる皮膚表面温度が所定の温度以上に上昇した後、照射する必要があった。
【０００４】
この発明は、このような従来技術に存在する問題点に着目してなされたものである。その目的は、ミストとともに光を照射することにより効率よく美肌効果を得られることができるミスト発生装置を提供することにある。
【課題を解決するための手段】
【０００５】
上記目的を達成するために、請求項１に記載の発明は、液体を霧状にしてミストを発生させるミスト発生手段と、前記ミスト発生手段により発生されるミストを噴出するミストノズルと、ミストが噴出される場所に対して光を照射する赤色ＬＥＤから構成される光照射手段と、前記ミスト発生手段によるミストの発生を制御すると共に前記光照射手段の発光を制御する制御手段とを備え、前記制御手段は、前記ミスト発生手段にミストの発生を開始させてから所定の時間が経過した後に前記光照射手段を発光させる一方、前記ミスト発生手段にミストの発生を終了させてから所定の時間が経過するまで前記光照射手段の発光を継続させることを要旨とする。
【０００６】
この発明により、ミストを浴びて皮膚表面温度が高くなってから光の照射を浴びることができ、美肌効果の効率を良くすることができる。また、ミスト発生手段がミストの発生を終了した場合でも、光照射手段は継続して発光するので、水分の気化熱が生じても光により皮膚表面温度を一定に保つことができ、肌への悪影響を防ぐことができる。
【０００８】
この発明により、ミストを浴びて皮膚表面温度が高くなってから光の照射を浴びることが確実にでき、美肌効果の効率を良くすることができる。
【０００９】
この発明により、水分の気化熱が生じても光の照射により皮膚表面温度を一定に保つことが確実にでき、肌への悪影響を防ぐことができる。
【００１２】
請求項２に記載の発明は、請求項１に記載の発明において、前記制御手段は、前記光照射手段の発光を停止させる場合、所定時間をかけて徐々に照度を低下させて発光を停止させることを要旨とする。
【００１３】
この発明により、ミストの噴出が終了しても、強い光が照射され続けるわけではないので、皮膚が乾燥することを防止できる。また、ゆっくりと照度が落ちていくために使用者の使用実感がよくなり、美肌効果も高くなる。
【００１４】
請求項３に記載の発明は、請求項１又は請求項２に記載の発明において、前記光照射手段は、前記ミストノズルに隣接されており、前記制御手段は、前記ミスト発生手段を制御して間欠して繰り返しミストを発生させるものであり、ミストの発生を開始させる毎に前記光照射手段を発光させる一方、ミストの発生を終了させる毎に前記光照射手段の発光を停止させるように構成されていることを要旨とする。
【００１５】
この発明により、間欠して繰り返しミストを発生するため、肌が熱くなりすぎることを防止することができる。
請求項４に記載の発明は、請求項１又は請求項２に記載の発明において、前記ミスト発生手段は、液体を霧状にして予め決められた温度のミストを発生させる第１ミスト発生手段と、第１ミスト発生手段によりも低温のミストを発生させる第２ミスト発生手段から構成されており、前記制御手段は、第１ミスト発生手段と第２ミスト発生手段を交互に作動させる制御を行い、前記第１ミスト発生手段を作動させているときのみに前記光照射手段を発光させることを要旨とする。
【００１６】
この発明により、温度の異なるミストを交互に肌に対して噴出させることができる。温度が高いミストが噴出されることにより、人の肌は温刺激され、抹消の血管が拡張される一方、温度が低いミストが噴霧されることにより、人の肌は冷刺激され、血管が収縮する。このような温刺激と、冷刺激が交互に繰り替えられることにより、血管が拡張と収縮が繰り返され、血液循環が良くなる。
【００１９】
請求項５に記載の発明は、請求項１〜請求項４のうちいずれか一項に記載の発明において、当該ミスト発生装置は、ミストが噴出される場所に付着した水分を除去するための風を送る水分除去手段を有し、前記光照射手段は、前記水分除去手段からの風を利用して放熱が行われることを要旨とする。
【００２０】
この発明により、水分を除去することができ、水分が気化することによる皮膚表面温度の低下を防止することができる。また、タオルなどで余分な水分を除去する手間を省くことができる。
また、この発明により、光照射手段の放熱をすると共に水分を除去することができる。また、放熱に利用しているため、肌に当たる風は温風となり、肌が急速に冷えることを防止できる。
【発明の効果】
【００２１】
本発明によれば、ミストとともに光を照射することにより効率よく美肌効果を得られることができる。
【発明を実施するための最良の形態】
【００２２】
（第１実施形態）
以下、本発明を具体化した一実施の形態を図面に従って説明する。
図１に示すように、ミスト発生装置１の本体ケース２内には、水などの液体を供給するタンク３が設けられている。タンク３は、本体ケース２内の下部に形成された液体溜り部４と連結されており、当該液体溜り部４にタンク３内の液体を供給し、貯留するようになっている。液体溜り部４の側面には、液体溜り部４に貯留された液体を加熱して沸騰させるミスト発生手段（第１ミスト発生手段）及び加熱装置としてのヒータ５が設けられている。このヒータ５は、液体溜り部４内の液体を加熱し、沸騰させて水蒸気を発生させることができるようになっている。また、本体ケース２内には、ヒータ５を制御する制御手段としての制御用ＣＰＵ６が設けられている。当該制御用ＣＰＵ６は、ヒータ５に印加する電圧値を変更することができるようになっている。
【００２３】
そして、液体溜り部４の上部には、本体ケース２の上下方向に沿って延びる筒状の経路としてのミスト流路７が形成されている。このミスト流路７の上部には、ミストを外部に噴出（放出）するミストノズル８が配設されている。このミストノズル８は、図２に示すように、本体ケース２の上面から外部に突出している。液体溜り部４にて発生した水蒸気は、ミスト流路７を通過することにより、液状化してミストとなり、ミストノズル８から噴出されるようになっている。なお、制御用ＣＰＵ６は、ヒータ５に印加する電圧値を変更することにより、水蒸気の量を調整して、噴出させるミスト量を制御するようになっている。
【００２４】
また、本体ケース２の上面には、図２に示すように、開閉式の蓋部材９が備えられている。この蓋部材９の内側には、光照射手段としての複数個の赤色ＬＥＤ１０が配設されている。この赤色ＬＥＤ１０は、蓋部材９が開放されたとき、肌の染みをなくす等の肌質を改善することができる６３０ｎｍの波長の光を蓋部材９の内側に向かって照射するように構成されている。また、赤色ＬＥＤ１０の照射強度は、照射される面に対して６０ｍＷ／ｃｍ２〜１２０ｍＷ／ｃｍ２の範囲内とされている。前述した制御用ＣＰＵ６は、この赤色ＬＥＤ１０の点灯制御（点灯させるか否かの制御及び照射強度の制御）も実行するようになっている。
【００２５】
さらに、蓋部材９には、赤色ＬＥＤ１０を冷却するための冷却ファン１１が設けられている。この冷却ファン１１は、赤色ＬＥＤ１０へ送風することにより、赤色ＬＥＤ１０を冷却することができるようになっている。また、この冷却ファン１１は、蓋部材９の外側から内側に向かって送風するように構成されており、蓋部材９を開放した状態で使用した場合、冷却ファン１１から送られた風は、赤色ＬＥＤ１０の間を通過して蓋部材９の内側に送られる。すなわち、赤色ＬＥＤ１０を冷却する際、赤色ＬＥＤ１０により温められた風が、蓋部材９の内側に送られるようになっている。なお、制御用ＣＰＵ６が、この冷却ファンの作動を制御するようになっている。
【００２６】
次に、上述したミスト発生装置１の動作を説明する。
先ず、タンク３は、水などの液体を液体溜り部４に供給し、液体を貯留する。この状態で、制御用ＣＰＵ６が、ヒータ５を作動させ、液体溜り部４内の液体を加熱させ、沸騰させる。これにより、水蒸気が発生する。この水蒸気は、ミスト流路７を通過する際にミストとなり、ミストノズル８から噴出される（時点Ａ１）。これにより、施術部位（使用者の肌）に、ミストが噴出される。
【００２７】
そして、制御用ＣＰＵ６は、図３に示すように、ミストを発生させてから（ヒータ５に電圧を印可させてから）、所定時間（本実施形態では３分）経過後、赤色ＬＥＤ１０を点灯させ、使用者の肌に対して光を照射させる（時点Ａ２）。これにより、水蒸気から発生した温度の高い（少なくとも使用者の皮膚表面温度よりも高い）ミストを肌に噴出して、使用者の肌の皮膚表面温度を十分高くした後に、赤色ＬＥＤ１０から光を照射することができる。そして、使用者の肌の皮膚表面温度を所定温度（例えば、３７度）以上にすることにより、光照射による美肌効果を効率よく得ることができる。
【００２８】
そして、ミストの発生を終了させる場合、制御用ＣＰＵ６は、図３に示すように、ヒータ５の作動を停止させ、ミストの発生を終了させる（時点Ａ３）。続いて、制御用ＣＰＵ６は、ミスト発生終了後、所定時間（本実施形態では５分）経過するまで、赤色ＬＥＤ１０の発光を継続させ、肌に付着した水分が気化することによる皮膚表面温度の低下を防止する。すなわち、温度が高いミストが噴出されなくても、赤色ＬＥＤ１０からの光照射により、肌に悪影響を与える虞がある急激な皮膚表面温度の低下を防止することができる。
【００２９】
また、制御用ＣＰＵ６は、ミスト発生終了後、所定時間（本実施形態では５分）経過するまで、冷却ファン１１を作動させ（時点Ａ３）、赤色ＬＥＤ１０を冷却すると共に、温風を発生させ、肌に存在する余分な水分を除去する。温風を肌に吹き付けることにより、肌に付着した余分な水分を除去し、水分が気化することによる急激な皮膚表面温度の低下を防止できる。また、冷却ファン１１の放熱を利用した温風を吹き付けることにより、使用者の皮膚表面温度より冷たい風を吹き付けるよりも皮膚表面温度の低下を防止できる。また、赤色ＬＥＤ１０を冷却するための冷却ファン１１を水分除去に利用しているため、水分除去のためだけに送風機を設けるより製造コストを抑えることができ、また、冷却と水分除去を効率的に行うことができる。従って、本実施形態では、冷却ファン１１は、水分除去手段となる。
【００３０】
そして、制御用ＣＰＵ６は、ミスト発生終了後、所定時間（本実施形態では５分）経過後、赤色ＬＥＤ１０の発光を停止させる（時点Ａ４）。
以上詳述したように、本実施形態は、以下の効果を有する。
【００３１】
（１）制御用ＣＰＵ６は、ミストの発生が開始してから所定時間（３分）経過後、赤色ＬＥＤ１０によりミストが吹き付けられる肌に光を照射させる。これにより、水蒸気から発生した温度の高いミストを肌に噴出して、施術部位の皮膚表面温度を十分高くした後に、赤色ＬＥＤ１０から光を照射することができる。そして、施術部位の皮膚表面温度を所定温度（例えば、３７度）以上にすることにより、光照射による美肌効果を効率よく得ることができる。
【００３２】
（２）また、制御用ＣＰＵ６は、ミストの発生が終了した場合でも、所定時間（５分）経過するまで、赤色ＬＥＤ１０により光を照射させるようにしている。このため、使用者の皮膚表面温度よりも温度が高いミストが噴出されなくても、赤色ＬＥＤ１０からの光照射により、肌に付着した水分が気化することによる急激な皮膚表面温度の低下を防止することができ、肌への悪影響を防止できる。
【００３３】
（３）また、制御用ＣＰＵ６は、ミスト発生終了後、所定時間（本実施形態では５分）経過するまで、冷却ファン１１を作動させ、赤色ＬＥＤ１０を冷却すると共に、温風を発生させるようにした。このように温風を肌に吹き付けることにより、肌に付着した余分な水分を除去し、水分が気化することによる急激な皮膚表面温度の低下を防止できる。また、温風を吹き付けることにより、使用者の皮膚表面温度より冷たい風を吹き付けるよりも皮膚表面温度の低下を防止できる。また、赤色ＬＥＤ１０を冷却するための冷却ファン１１を水分除去に利用しているため、水分除去のためだけに送風機を設けるより製造コストを抑えることができ、また、冷却と水分除去を効率的に行うことができる。
【００３４】
（第２実施形態）
次に、本発明を具体化した第２実施形態を説明する。なお、以下に説明する実施形態では、既に説明した第１実施形態と同様の構成は、同じ符号を付すなどして重複する詳細な説明及び図面は省略又は簡略する。
【００３５】
第２実施形態におけるミスト発生装置１の動作を図４に基づき説明する。
まず、タンク３は、水などの液体を液体溜り部４に供給し、液体を貯留する。この状態で、制御用ＣＰＵ６が、ヒータ５を作動させ、液体溜り部４内の液体を加熱させ、沸騰させる。これにより、水蒸気が発生する。この水蒸気は、ミスト流路７を通過する際にミストとなり、ミストノズル８から使用者の肌に対して噴出される（時点Ｂ１）。そして、制御用ＣＰＵ６は、ミストを発生させてから（ヒータ５に電圧を印可させてから）、所定時間（本実施形態では３分）経過後、赤色ＬＥＤ１０を点灯させ、使用者の肌に対して光を照射させる（時点Ｂ２）。
【００３６】
そして、ミストの発生を終了させる場合、制御用ＣＰＵ６は、まず、ヒータ５の作動を停止させ、ミストの発生を終了させる（時点Ｂ３）。続いて、制御用ＣＰＵ６は、ミスト発生終了後、所定時間（本実施形態では５分）かけて、赤色ＬＥＤ１０の照射強度を徐々に低下させて消灯させる（時点Ｂ３〜Ｂ４）。これにより、温度が高いミストが噴出されなくても、赤色ＬＥＤ１０からの光照射により、肌に悪影響を与える虞がある急激な皮膚表面温度の低下を防止することができる。また、徐々に照射強度を低下させることにより、ミストを浴びることなく照射強度が強い光が照射され続けることによる皮膚の乾燥を防ぐことができる。
【００３７】
また、制御用ＣＰＵ６は、ミスト発生終了後、所定時間（本実施形態では５分）経過するまで、冷却ファン１１を作動させ、赤色ＬＥＤ１０を冷却すると共に、温風を発生させ、肌に存在する余分な水分を除去する。そして、制御用ＣＰＵ６は、ミスト発生終了後、所定時間（本実施形態では５分）経過後、赤色ＬＥＤ１０の発光を完全停止させる（時点Ｂ４）。
【００３８】
以上詳述したように、本実施形態は、第１実施形態の効果に加え、以下の効果を有する。
（４）制御用ＣＰＵ６は、ミスト発生終了後、所定時間（本実施形態では５分）かけて、赤色ＬＥＤ１０の照射強度を徐々に低下させて消灯させる。このように、徐々に照射強度を低下させることにより、ミストを浴びることなく照射強度が強い光が照射され続けることによる皮膚の乾燥を防ぐことができると同時に、皮膚表面温度の急激な低下を防止することができる。
【００３９】
（第３実施形態）
次に、本発明を具体化した第３実施形態を説明する。なお、以下に説明する実施形態では、既に説明した第１実施形態と同様の構成は、同じ符号を付すなどして重複する詳細な説明及び図面は省略又は簡略する。
【００４０】
図５は、本実施形態におけるミスト発生装置２１の構成を示すブロック図である。図５に示すように、本実施形態のミスト発生装置２１には、第１実施形態におけるミスト発生装置１の構成に加えて、使用者の皮膚に第１実施形態のミストノズル８（以下、第１ミストノズル８と示す場合がある）から噴出されるミストよりも冷たい冷ミストを噴出するための第２ミスト発生手段としての冷ミスト噴出部２２が追加されている。
【００４１】
冷ミスト噴出部２２は、出口端の口径が徐々に小径となるようテーパ状に形成されたベンチュリー管２３と、空気を圧縮して送り出すエアポンプ２４と、発生したミストが通過する第２ミスト流路２５を備えている。ベンチュリー管２３と第２ミスト流路２５は、連結されており、さらにその連結部は、ヒータ５が備えられた第１液体溜り部４とは別に設けられた第２液体溜り部２０と連結されている。また、エアポンプ２４は、制御用ＣＰＵ６によりその作動が制御されるようになっている。
【００４２】
以上のように構成された冷ミスト噴出部２２において、エアポンプ２４が作動すると、ベンチュリー管２３内に風が送られる。そして、エアポンプ２４の作動によりベンチュリー管２３内に送られた送風は、そのテーパ状に形成された出口端を通過することにより加速される。そして、それに伴いミスト流路２５及びベンチュリー管２３との連結部に生ずる負圧、即ちベンチュリー効果により第２液体溜り部２０から吸い出された液体が冷ミストとなって第２ミスト流路２５内を移動する。
【００４３】
図５に示すように、第２ミスト流路２５の先端には、第２ミストノズル２６が形成されており、第２ミスト流路２５内を移動した冷ミストは、この第２ミストノズル２６から吐出される。この第２ミストノズル２６は、第１ミストノズル８と隣接しており、且つ、第１ミストノズル８からのミストの噴出方向と同方向に冷ミストを噴出するように構成されている。
【００４４】
次に、上述したミスト発生装置２１の動作を図６に基づき説明する。
先ず、タンク３は、水などの液体を第１液体溜り部４及び第２液体溜り部２０に供給し、液体を貯留する。この状態で、制御用ＣＰＵ６が、まず、ヒータ５を作動させ、第１液体溜り部４内の液体を加熱させ、沸騰させる。これにより、水蒸気が発生する。この水蒸気は、第１ミスト流路７を通過する際に、第２ミストノズルから噴出される冷ミストよりも温度の高い温ミストとなり、第１ミストノズル８から使用者の肌へ噴出される（時点Ｃ１）。
【００４５】
そして、制御用ＣＰＵ６は、図６に示すように、温ミストを発生させてから（ヒータ５に電圧を印可させてから）、所定時間（本実施形態では３分）経過後、赤色ＬＥＤ１０を点灯させ、使用者の肌に対して光を照射させる（時点Ｃ２）。これにより、水蒸気から発生し、使用者の皮膚表面温度よりも温度の高い温ミストを肌に噴出して、使用者の肌の皮膚表面温度を十分高くした後に、赤色ＬＥＤ１０から光を照射することができる。すなわち、光照射による美肌効果を効率よく得ることができる。
【００４６】
そして、制御用ＣＰＵ６は、温ミストを発生させてから所定時間（本実施形態では１０分）経過後（時点Ｃ３）、ヒータ５の作動を停止させ、温ミストの発生を終了させる。続いて、制御用ＣＰＵ６は、温ミスト発生終了後、所定時間（本実施形態では３０秒）経過するまで、赤色ＬＥＤ１０の発光を継続させ、肌に付着した水分が気化することによる皮膚表面温度の低下を防止する（時点Ｃ３〜Ｃ４）。
【００４７】
その後、制御用ＣＰＵ６は、エアポンプ２４を作動させて、ベンチュリー管２３内に送風する。これにより、第２液体溜り部２０から吸い出された液体が冷ミストとなって第２ミスト流路２５内を通過して第２ミストノズル２６から使用者の肌へ噴出される（時点Ｃ４）。その際、制御用ＣＰＵ６は、赤色ＬＥＤ１０の発光を終了させる。
【００４８】
そして、制御用ＣＰＵ６は、所定時間（本実施形態では３分）経過後、エアポンプ２４を停止させ、ベンチュリー管２３内への送風を中止する。これにより、冷ミストの噴出が終了する（時点Ｃ５）。
【００４９】
そして、制御用ＣＰＵ６は、ヒータ５を作動させて、再び温ミストを発生させる（時点Ｃ６）。また、制御用ＣＰＵ６は、温ミストを発生させてから（ヒータ５に電圧を印可させてから）、所定時間（本実施形態では３分）経過後、前述同様、赤色ＬＥＤ１０を点灯させ、使用者の肌に対して光を照射させる（時点Ｃ７）。以降、同様にして、ミスト発生装置２１は、温ミストと、冷ミストを交互に繰り返し噴出する。以上のように、ミスト発生装置２１は、温ミストと、冷ミストを交互に噴出させて温刺激と、冷刺激を交互に肌に与えるようになっている。
【００５０】
以上詳述したように、本実施形態は、第１実施形態の効果に加え、以下の効果を有する。
（５）ミスト発生装置２１は、温ミストと、冷ミストを交互に肌に対して噴出させることができる。温ミストが噴出されることにより、使用者の肌は温刺激され、抹消の血管が拡張される一方、冷ミストが噴出されることにより、使用者の肌は冷刺激され、血管が収縮する。このような温刺激と、冷刺激が交互に繰り替えられることにより、血管が拡張と収縮を繰り返し、鍛錬される。すなわち、血管が拡張しにくく、血行が悪い人でも、血管が拡張しやすくなり、血液循環が良くなる。このため、肌のくま、くすみが改善される等、血行が悪いことによって引き起こされる様々な症状が温冷交互刺激による血行促進により改善される。また、温ミストが噴出されるとき、赤色ＬＥＤ１０により光が同時に照射されるため、温刺激時と、冷刺激時の温度の差をより一層大きくすることができる。これにより、温冷交互刺激による血行促進の効果がより大きくすることができる。
【００５１】
（第４実施形態）
次に、本発明を具体化した第４実施形態を説明する。なお、以下に説明する実施形態では、既に説明した第１実施形態と同様の構成は、同じ符号を付すなどして重複する詳細な説明及び図面は省略又は簡略する。
【００５２】
第４実施形態の本体ケース２には、図７（ａ）に示すように、ミスト流路７を通過してきたミストが通過する細長い管状の供給ホース３０が取り付けられている。この供給ホース３０の先端には、図７（ｂ）、図７（ｃ）に示すように、利用者が手に持って利用可能なヘッド部３１が設けられている。このヘッド部３１には、供給ホース３０内を通過してきたミストを噴出させるミストノズル３４が備えられている。また、ヘッド部３１には、図７（ｂ）に示すように、ミストノズル３４がミストを噴射する方向と同方向に光を照射する光照射手段としての複数個の赤色ＬＥＤ３２が配設されている。この赤色ＬＥＤ３２は、肌の染みをなくす等の肌質を改善することができる６３０ｎｍの波長の光を照射するように構成されている。また、赤色ＬＥＤ３２の照射強度は、照射される面に対して６０ｍＷ／ｃｍ２〜１２０ｍＷ／ｃｍ２の範囲内とされている。本体ケース２に設けられた制御用ＣＰＵ６は、この赤色ＬＥＤ３２の点灯制御（点灯させるか否かの制御及び照射強度の制御）を実行するようになっている。
【００５３】
また、ヘッド部３１には、図７（ｂ）に示すように、照射対象となる肌の皮膚表面温度を計測する温度検知手段としての温度センサ３３が設けられている。この温度センサ３３は、制御用ＣＰＵ６と接続されており、制御用ＣＰＵ６は、使用者の肌の皮膚表面温度を検知することができるようになっている。なお、ヘッド部３１は、使用者の肌に接触させて使用されるようになっている。
【００５４】
次に、上述したミスト発生装置２１の動作を図８に基づき説明する。
先ず、タンク３は、水などの液体を液体溜り部４に供給し、液体を貯留する。この状態で、制御用ＣＰＵ６が、ヒータ５を作動させ、液体溜り部４内の液体を加熱させ、沸騰させる。これにより、水蒸気が発生する。この水蒸気は、ミスト流路７及び供給ホース３０を通過する際に、ミストとなり、ミストノズル８から使用者の肌へ噴出される（時点Ｄ１）。
【００５５】
そして、温度センサ３３は、噴出対象となる肌の温度の測定を開始し、計測結果を制御用ＣＰＵ６に送信するようになっている。制御用ＣＰＵ６は、図８に示すように、温ミストを発生させた後、温度センサ３３から送信された肌の皮膚表面温度が所定温度（本実施形態では、３７度）以上となったとき、赤色ＬＥＤ３２を点灯させ、使用者の肌に対して光を照射させる（時点Ｄ２）。これにより、水蒸気から発生した温度の高いミストを肌に噴出して、使用者の肌の皮膚表面温度を十分高くした後に、赤色ＬＥＤ３２から光を照射することができる。このため、光照射による美肌効果を効率よく得ることができる。
【００５６】
そして、制御用ＣＰＵ６は、ミストを発生させてから所定時間（本実施形態では１０分）経過後、ヒータ５の作動を停止させ、ミストの発生を終了させる（時点Ｄ３）。続いて、制御用ＣＰＵ６は、ミスト発生終了後、温度センサ３３から送信された使用者の肌の皮膚表面温度が所定温度（本実施形態では、３７度）より低くなるまで、赤色ＬＥＤ３２の発光を継続させ（時点Ｄ３〜Ｄ４）、肌に付着した水分が気化することによる皮膚表面温度の低下を防止する。
【００５７】
その後、制御用ＣＰＵ６は、再びヒータ５を作動させ、液体溜り部４内の液体を加熱させて沸騰させ、ミストをミストノズル８から噴出させる（時点Ｄ４）。そして、前述同様に、制御用ＣＰＵ６は、図８に示すように、ミストを発生させた後、温度センサ３３から送信された肌の皮膚表面温度が所定温度（本実施形態では、３７度）以上となったとき、赤色ＬＥＤ３２を点灯させ、施術部位に対して光を照射させる（時点Ｄ５）。制御用ＣＰＵ６は、ミストを発生させてから所定時間（本実施形態では１０分）経過後、ヒータ５の作動を停止させ、温ミストの発生を終了させる（時点Ｄ６）。続いて、制御用ＣＰＵ６は、ミスト発生終了後、温度センサ３３から送信された使用者の肌の皮膚表面温度が所定温度（本実施形態では、３７度）より低くなるまで、赤色ＬＥＤ１０の発光を継続させる（時点Ｄ６〜Ｄ７）。以降、制御用ＣＰＵ６は、同様の処理を繰り返し実行する。
【００５８】
以上詳述したように、本実施形態は、第１実施形態の効果に加え、以下の効果を有する。
（６）赤色ＬＥＤ３２及びミストノズル８を使用者の肌に接触させて使用されるヘッド部３１に設けた。このため、使用者の肌に対してミストの噴出及び光の照射を同時に行うことができる。また、制御用ＣＰＵ６は、使用者の肌に対して間欠して繰り返しミストを噴出させるため、肌が熱くなりすぎることを防止することができる。
【００５９】
尚、上記実施形態は、次のような別の実施形態（別例）にて具体化できる。
○上記実施形態において、冷却ファン１１を設けたが、設けなくても良い。
○上記第１実施形態〜第３実施形態において、制御用ＣＰＵ６は、ミストを発生させてから、３分経過後、赤色ＬＥＤ１０を点灯させたが、ミスト発生開始から０〜５分の範囲内ならば、赤色ＬＥＤ１０の点灯開始時を任意に変更しても良い。例えば、制御用ＣＰＵ６は、ミストを発生させてから、１分経過後、赤色ＬＥＤ１０を点灯させてもよく、５分経過後、赤色ＬＥＤ１０を点灯させてもよい。
【００６０】
○上記第１実施形態〜第２実施形態では、制御用ＣＰＵ６は、ミスト発生終了後、５分経過するまで、赤色ＬＥＤ１０の発光を継続させたが、ミスト発生終了から１〜５分の範囲内ならば、赤色ＬＥＤ１０の点灯終了時を任意に変更しても良い。例えば、制御用ＣＰＵ６は、ミスト発生終了後、１分経過するまで、赤色ＬＥＤ１０の発光を継続させてもよく、４分経過するまで、赤色ＬＥＤ１０の発光を継続させてもよい。
【００６１】
○上記第３実施形態において、温ミストの噴出時間と、冷ミストの噴出時間を任意に変更しても良い。
○上記第３実施形態では、冷ミストをベンチュリー方式にて発生させていたが、超音波方式で発生させても良い。
【００６２】
○上記第４実施形態では、温度センサ３３により皮膚表面温度が３７度であると計測されたとき、光を照射させるようにしていたが、３５〜４０度の範囲内で赤色ＬＥＤ３２の点灯開始時を任意に変更しても良い。例えば、温度センサ３３により皮膚表面温度が３６度であると計測されたとき、光を照射させるようにしてもよく、温度センサ３３により皮膚表面温度が４０度であると計測されたとき、光を照射させるようにしてもよい。
【００６３】
○上記実施形態では、赤色ＬＥＤ１０，３２に、６３０ｎｍの波長の光を照射するようにさせていたが、肌質を改善することができる波長であるならば、光の波長を変更しても良い。
【００６４】
○上記実施形態では、冷却ファン１１は、肌の水分を除去すると共に、赤色ＬＥＤ１０，３２を冷却していたが、肌の水分を除去するファンと、赤色ＬＥＤ１０，３２を冷却するファンを別々に設けても良い。
【００６５】
○上記実施形態では、赤色ＬＥＤ１０，３２を使用したが、赤色以外の他の色のＬＥＤを使用しても良い。また、ハロゲンランプやキセノンフラッシュランプなど、ＬＥＤ以外の光照射手段を用いても良い。
【図面の簡単な説明】
【００６６】
【図１】ミスト発生装置の構成を示すブロック図。
【図２】（ａ）は、ミスト発生装置を示す正面図、（ｂ）は、ミスト発生装置を示す側面図。
【図３】（ａ）〜（ｃ）は、ミストの発生タイミング、光の照射タイミング及び冷却ファンの送風タイミングを示すタイミングチャート。
【図４】（ａ）及び（ｂ）は、第２実施形態におけるミストの発生タイミング及び光の照射タイミングを示すタイミングチャート。
【図５】第３実施形態のミスト発生装置のブロック図。
【図６】（ａ）及び（ｂ）は、第３実施形態におけるミストの発生タイミング及び光の照射タイミングを示すタイミングチャート。
【図７】（ａ）は第４実施形態のミスト発生装置を示す正面図、（ｂ）はヘッド部を示す正面図、（ｃ）はヘッド部を示す側面図。
【図８】（ａ）〜（ｃ）は、第４実施形態におけるミストの発生タイミング及び光の照射タイミングを示すタイミングチャート。
【符号の説明】
【００６７】
１、２１…ミスト発生装置、２…本体ケース、３…タンク、４…液体溜り部（第１液体溜り部）、５…ヒータ、６…制御用ＣＰＵ、７…ミスト流路（第１ミスト流路）、８、３４…ミストノズル（第１ミストノズル）、９…蓋部材、１０、３２…赤色ＬＥＤ、１１…冷却ファン、２０…第２液体溜り部、２２…冷ミスト噴出部、２３…ベンチュリー管、２４…エアポンプ、２５…第２ミスト流路、２６…第２ミストノズル、３０…供給ホース、３１…ヘッド部、３３…温度センサ。
【図１】
0005021566.tif 000002
【図２】
0005021566.tif 000003
【図３】
0005021566.tif 000004
【図４】
0005021566.tif 000005
【図５】
0005021566.tif 000006
【図６】
0005021566.tif 000007
【図７】
0005021566.tif 000008
【図８】
0005021566.tif 000009